(57)【要約】【課題】ねじ軸が緩んでも、容易にはマンホール蓋から抜け出ることのないマンホール蓋の開蓋操作具係合孔の閉塞具を提供する。【解決手段】閉塞具１は、係合孔２５に挿入される本体２、これを上下に貫通して保持されるねじ軸３、これに螺合するナット部材４、ねじ軸３を回転操作する鍵部材５を具備する。本体２は、下部の挿入部６、係合孔３５を塞ぐ上部の傘部７、その下面の位置決め突起８を具備する。ナット部材４は、締め付け突片９と逆転止め突片１０を具備し、ねじ軸３に所定の摩擦抵抗で螺合される。締め付け突片９が回転拘束面２１，２２間にあってナット部材４が最上位置に達すると、締め付け突片９が傘部７との間でマンホール蓋３１を挟持する。ねじ軸３が緩んでも、ナット部材４は、回転拘束面２１，２２でロック角度位置に拘束されるから、締め付け突片９により、係合孔３５からの抜け出しが阻止される。【選択図】図７
2017218724.tif 000002
【特許請求の範囲】
【請求項１】
開蓋操作具を掛けるためにマンホール蓋に形成される係合孔を塞ぐようにマンホール蓋に装着される閉塞具であって、
装着時に前記係合孔に挿入される下部の挿入部と、この挿入部の上端部に一体に形成され装着時に前記係合孔を塞ぐように前記マンホール蓋の上面に密着する傘部と、この傘部の下面に突設され装着時に前記係合孔に係合する位置決め突起とを具備する本体と、
前記本体を上下に貫通し軸周り回転自在に本体に保持されるねじ軸と、
前記ねじ軸に所定の摩擦抵抗をもって螺合され、ねじ軸と共にロック角度位置と非ロック角度位置との間を９０°正逆回転自在で、ロック角度位置におけるねじ軸上の最上位置において前記マンホール蓋の下面に係合し、非ロック角度位置において前記係合孔を通過できるように軸線直交方向へ突出する締め付け突片と、この締め付け突片の反対側へ突出する逆転止め突片とを具備し、ねじ軸に対して下方へ抜け止めされるナット部材と、
前記ねじ軸の上端に係合する特異係合部を具備し、当該特異係合部をねじ軸に係合させてねじ軸を回転操作するための鍵部材と、を具備し、
前記本体の挿入部は、上部の円筒部と、この円筒部に連続して下方へ延出する長短一対の規制脚とを具備し、
前記ねじ軸の頭部は、上端部に前記鍵部材の特異係合部に係合する対応係合部を具備し、
前記長短一対の規制脚は、上方の一定の上下範囲において相対向し、両面間において前記ナット部材のをロック角度位置に拘束する回転拘束面を具備し、
前記長規制脚は、さらに、前記回転拘束面に下方へ連続し、正回転する前記ナット部材の締め付け突片を当接させてナット部材をロック角度位置に拘束する正回転規制面と、この正回転規制面に対して９０°離れ、逆回転するナット部材の逆転止め突片を当接させてナット部材を非ロック角度位置に拘束する逆回転規制面とを具備し、
前記ねじ軸の正回転に共回りする前記ナット部材を前記長規制脚の正回転規制面によりロック角度位置に拘束し、さらなるねじ軸の正回転により、ナット部材をロック角度位置において前記回転拘束面間で最上位まで上昇させて前記締め付け突片をマンホール蓋の下面に当接させるように構成されることを特徴とするマンホール蓋の開蓋操作具係合孔の閉塞具。
【請求項２】
前記マンホール蓋の係合孔は、当該マンホール蓋の周縁部に形成される概略半円弧状の切欠部とマンホール枠体の内周との間に形成され、
前記傘部は、前記係合孔の周縁の上面に密着する概略半月状をなし、
前記位置決め突起は、前記マンホール枠体の内周に対面して前記ねじ軸回りの回転を規制する第１の位置決め面と、前記マンホール蓋の中心方向への移動を規制する第２の位置決め面とを具備することを特徴とする請求項１に記載のマンホール蓋の開蓋操作具係合孔の閉塞具。
【発明の詳細な説明】
【技術分野】
【０００１】
この発明は、電線・ケーブルなどを地中に敷設する共同溝等への進入口であるマンホールの蓋に装着され、蓋に設けられた開蓋操作具係合孔を通常時は使用できないように閉塞するための閉塞具に関する。
【背景技術】
【０００２】
地下敷設管路などの点検修理のためにマンホールの蓋を開放する際には、マンホール蓋に設けられた係合孔に棒状手鍵のような開蓋操作具を挿入し、マンホール蓋を引き起こす。無権限者がマンホール蓋を開放できないようにする手段として、特許文献１に開示されたマンホール蓋の鍵孔用盲栓装置が知られている。
この装置は、本体とねじ軸と締め付けナットとで構成される。本体上部の円盤部の裏面には、マンホール蓋の上面部の位置決め用凹部に嵌合される位置決め用突起が設けられる。本体の下部は円筒状で、マンホール蓋の鍵孔に挿入される。本体には、中心部の上部から下部に連通する大径軸孔と小径軸孔が設けられる。本体の筒状部には、相対向する順回転時規制面と逆回転時規制面とを有する割り溝が設けられる。ねじ軸の上部は、本体の大径軸孔に相対回転自在に受け入れられる。ねじ軸の上端には、操作ハンドルの駆動用端部が係脱する受動用端部が設けられる。受動用端部の下部側には小径軸孔より大径の抜け止め用フランジが設けられる。抜け止め用フランジの下部側には、小径軸孔に嵌挿される雄螺子棒が設けられる。締め付けナットは、ねじ軸の雄螺子棒に螺合される。締め付けナットの上部には、鍵孔の逃げ孔部を通過できる固定用爪が張り出す。固定用爪は、マンホール蓋の下面部に接離する。ねじ軸を順回転させると、固定用爪が割溝の順回転時規制面に当接するまで締め付けナットがねじ軸と共回りし、当接後はねじ軸に沿って相対的に上昇し、また、逆回転させると、固定用爪が割溝の逆回転時規制面に当接するまでねじ軸と共回りし、当接後はねじ軸に沿って相対的に下降する。装置の下部をマンホール蓋の鍵孔に挿入し、特殊な操作ハンドルをねじ軸上端に係合させ、順方向に回転させることにより、締め付けナットを相対的に上昇させ、マンホール蓋の下面に当接させると、装置は鍵孔に対して抜け止めされる。ねじ軸を逆回転させれば、ナットが下降して装置を回転させることができるから、ナットの位置を鍵孔に適合させて装置を鍵孔から引き抜くことができる。操作ハンドルがなければねじ軸を順方向へも逆方向へも回転操作することができない。
【先行技術文献】
【特許文献】
【０００３】
【特許文献１】特開平１０−２０５１８４号公報
【発明の概要】
【発明が解決しようとする課題】
【０００４】
上記従来の装置は、マンホールへの装着状態において、ねじ軸が、操作ハンドルによらずに、何らかの外力で、わずかでも逆回転して緩むと、マンホール蓋との係合が外れ、予期せずに、ナットが逆回転時規制面に当接するまでねじ軸と共回りし、マンホールから抜けてしまうおそれがある。
本発明は、予期せずに、ねじ軸が緩んでも、容易にはマンホール蓋から抜け出ることのないマンホール蓋の開蓋操作具係合孔の閉塞具を提供することを目的としている。
【課題を解決するための手段】
【０００５】
以下、添付図面の符号を参照して説明するが、本発明はこれに限定されるものではない。
上記課題を解決するための、本発明の閉塞具１は、マンホール蓋３１の開蓋操作具の係合孔２５に挿入される本体２と、本体２に保持されるねじ軸３と、ねじ軸３に螺合されるナット部材４と、ねじ軸３を回転操作するための鍵部材５とを具備する。本体２は、係合孔３５に挿入される下部の挿入部６と、この挿入部６の上端部に一体に形成され装着時に係合孔３５を塞ぐようにマンホール蓋３１の上面に密着する傘部７と、この傘部７の下面に突設され装着時に係合孔３５に係合する位置決め突起８とを具備する。ねじ軸３は、本体２を上下に貫通し軸周り回転自在に本体２に保持される。ナット部材４は、締め付け突片９と逆転止め突片１０とを具備し、ねじ軸３に所定の摩擦抵抗をもって螺合され、摩擦抵抗により、ねじ軸３と共にロック角度位置と非ロック角度位置との間を９０°正逆回転自在であり、ねじ軸３に対して下方へ抜け止めされる。締め付け突片９は、ロック角度位置におけるねじ軸３上の最上位置においてマンホール蓋３１の下面に係合し、ロック角度位置において係合孔３５を通過できるように、軸線直交方向へ突出する。逆転止め突片１０は、締め付け突片９の反対側へ突出する。鍵部材５は、ねじ軸３の上端に係合する特異係合部１２を具備し、当該特異係合部１２をねじ軸３に係合させてねじ軸３を回転操作することができる。本体２の挿入部６は、上部の円筒部１６と、この円筒部１６に連続して下方へ延出する長短一対の規制脚１７，１８とを具備する。ねじ軸３の頭部１９は、上端部に鍵部材５の特異係合部１２に係合する対応係合部１３を具備する。長短一対の規制脚１７，１８は、上方の一定の上下範囲において相対向し、両面間においてナット部材４の締め付け突片９をロック角度位置に拘束する回転拘束面２１，２２を具備する。長規制脚１７は、さらに、回転拘束面２１の下方へ連続し、正回転するナット部材４の締め付け突片９を当接させてナット部材４をロック角度位置に拘束する正回転規制面２３と、この正回転規制面２３に対して９０°離れ、逆回転するナット部材４の逆転止め突片１０を当接させてナット部材４を非ロック角度位置に拘束する逆回転規制面２４とを具備する。ねじ軸３の正回転に共回りするナット部材４を長規制脚１７の正回転規制面２３によりロック角度位置に拘束し、さらなるねじ軸３の正回転により、ナット部材４をロック角度位置において回転拘束面２１，２２間で最上位まで上昇させて締め付け突片９をマンホール蓋３１の下面に当接させるように構成される。
【発明の効果】
【０００６】
本発明の閉塞具１においては、ナット部材４が、ロック角度位置において回転拘束面２１，２２間を最上位、すなわちマンホール蓋３１の下面に当接する位置まで上昇し、その位置で回転拘束面２１，２２間に拘束されるので、ねじ軸３がわずかに緩んでも、ナット部材４が回転せず、したがって不用意に係合孔３５から抜けるおそれがない。
【図面の簡単な説明】
【０００７】
【図１】本発明に係る閉塞具の正面図であり、（Ａ）はナット部材が非ロック角度位置で最下位にある状態、（Ｂ）はロック角度位置にあって上下中間位置にある状態を示す。る。
【図２】図１の閉塞具の右側面図である。
【図３】ナット部材がロック角度位置にある閉塞具の平面図である。
【図４】図１の閉塞具の底面図であり、（Ａ）はナット部材が非ロック角度位置にある状態、（Ｂ）はロック角度位置にある状態を示す。
【図５】図３におけるＶ−Ｖ断面図である。
【図６】図１の閉塞具を装着するマンホール蓋の一部の平面図であり、（Ａ）は閉塞具を装着前、（Ｂ）は装着後の状態を示す。
【図７】図１の閉塞具の正面図であり、（Ａ）は蓋への挿入時固定前、（Ｂ）はナット部材の上昇途上、（Ｃ）は固定後の状態を示す。
【発明を実施するための形態】
【０００８】
図面を参照して本発明の実施の形態を説明する。
図６（Ａ）に示すように、本発明に係る閉塞具１を装着するマンホール蓋３１は、その周縁部に形成される概略半円弧状の切欠部３２とマンホール枠体３３の内周３４との間に形成される概略半月型の係合孔３５を具備する。係合孔３５は、図示しない開蓋操作具をそこへ差し込んで、マンホール蓋３１をこじ上げるためのものである。閉塞具１は、無権限者がマンホール蓋３１を取り外しできないように、開蓋操作具の係合孔３５を閉塞（図６（Ｂ））するために、マンホール蓋３１に装着される。
【０００９】
図１，２に示すように、閉塞具１は、係合孔３５に挿入される本体２と、本体２に保持されるねじ軸３と、ねじ軸３に螺合されるナット部材４と、ねじ軸３を回転操作するための鍵部材５（図５）とを具備する。
【００１０】
本体２は、係合孔３５に挿入される（図７）下部の挿入部６と、この挿入部の上端部に一体に形成され、装着時に係合孔３５を塞ぐようにマンホール蓋３１の上面に密着する概略半月型の傘部７と、この傘部７の下面に突設され装着時に係合孔３５に係合する位置決め突起８とを具備する。
【００１１】
図４に示すように、位置決め突起８は、マンホール枠体３３の内周に対面してねじ軸３周りの回転を規制する第１の位置決め面２５と、マンホール蓋３１の中心方向への移動を規制する第２の位置決め面２６とを具備する。
【００１２】
図５に示すように、ねじ軸３は、上端の頭部１９と、その下方のねじ部２０とを具備し、本体２を上下に貫通し、軸周り回転自在に本体２に保持される。ねじ軸３は、鍵部材５によって回転操作される。
【００１３】
鍵部材５は、下端に特異係合部１２を具備し、当該特異係合部１２をねじ軸３の頭部１９に形成された対応係合部１３に係合させてねじ軸３を回転操作することができる。
【００１４】
ナット部材４は、締め付け突片９と逆転止め突片１０とを具備し、ねじ軸３に螺合され、下方へ抜け止めされる。ナット部材４は、下端部に形成されるスリット１１から下の部分が軸線方向に上方へわずかに圧搾変形され、ねじピッチがそれより上方とわずかに異なり、それによって、ねじ軸３に対して所定の摩擦抵抗をもって螺合する。この摩擦抵抗により、ナット部材４は、ねじ軸３と共に、図４（Ｂ）に示すロック角度位置と、図４（Ａ）に示す非ロック角度位置との間を９０°正逆回転自在である。
【００１５】
締め付け突片９は、軸線直交方向へ突出しており、ロック角度位置におけるねじ軸３上の最上位置（図７（Ｃ））においてマンホール蓋３１の下面に係合し、非ロック角度位置において係合孔３５を通過できる。逆転止め突片１０は、締め付け突片９の反対側へ突出する。
【００１６】
図５に示すように、本体２は、ねじ軸３の頭部１９を受ける上端の座繰り部１４と、ねじ部を貫通させる下部の小径軸孔部１５とを具備する。
【００１７】
本体の挿入部６は、上部の円筒部１６と、この円筒部１６に連続して下方へ延出する長短一対の規制脚１７，１８とを具備する。
【００１８】
図４に示すように、長短一対の規制脚１７，１８は、相対向する回転拘束面２１，２２を具備し、さらに長規制脚１７は、回転拘束面２１の下方へ連続する正回転規制面２３と、その反対側の逆回転規制面２４とを具備する。
【００１９】
長短一対の規制脚１７，１８は、回転拘束面２１，２２間においてナット部材４の締め付け突片９をロック角度位置に拘束する。図２に示すように、長規制脚１７は、短規制脚１８より下方へ長く延出しており、回転拘束面２１の下方へ連続する正回転規制面２３を具備する。正回転規制面２３は、ねじ軸３と共に正回転（ねじを締める方向の回転）するナット部材４の締め付け突片１０を当接させてナット部材４をロック角度位置に拘束する。図４に示すように、この正回転規制面２３に対して９０°離れた反対側に、逆回転規制面２４が形成される。図１（Ａ），図４（Ａ）に示すように、逆回転規制面２４は、ねじ軸３と共に逆回転するナット部材４の逆転止め突片１０を当接させることにより、ナット部材４を非ロック角度位置に拘束する。
【００２０】
すなわち、図７に示すように、ねじ軸３の正回転に共回りするナット部材４は、長規制脚１７の正回転規制面２３に当接することよりロック角度位置に拘束され（図１（Ｂ），図４（Ｂ））、供回りが停止する。ねじ軸３のさらなる正回転により、ナット部材４との間に相対回転が生じ、それによりナット部材４は、ロック角度位置において回転拘束面２１，２２間を上昇する。ナット部材４が、最上位まで上昇すると、締め付け突片９がマンホール蓋３１の下面に当接し、本体の傘部７との間でマンホール蓋３１を締め付ける（図７（Ｃ））。
【００２１】
閉塞具１をマンホール蓋３１に取り付ける場合には、ねじ軸３を緩めて、突片８，９を短規制脚１８の下方位置に置き、逆転止め突片１０を長規制脚１７の逆回転規制面２３に当接させた図４（Ａ）の非ロック角度位置において、マンホール枠体３３の内周３４に第１の位置決め面２５を対面させると共に、マンホール蓋３１の切欠部３２の周面に第２の位置決め面２６を対面させるように位置決めして、ナット部材４、ねじ軸３の下部及び本体２の挿入部６を係合孔３５に挿入し、傘部７で係合孔２５を塞ぐ。この状態で、鍵部材５により、ねじ軸３を正回転させると、ナット部材４は、ねじ部の摩擦抵抗により、ねじ軸３と共にと９０°回転して、正回転規制面２３に当接し、ロック角度位置に至る。これにより、正回転方向に拘束されるので、これ以上、ねじ軸３と共回りすることができず、正回転規制面２３、回転拘束面２１と順次摺り合いながら上昇し、回転拘束面２１，２２間において最上位置に到達すると、締め付け突片９がマンホール蓋３１の下面に当接し、締め付け突片９と傘部７との間でマンホール蓋３１を挟持する。これにより、閉塞具１がマンホール蓋３１に固定され、係合孔３５に開蓋操作具を挿入することができないから、マンホール蓋３５を取り外すことができない。何らかの外力によりねじ軸３がわずかに緩んでも、ナット部材４は、回転拘束面２１，２２間にあって、ロック角度位置に拘束されるから、締め付け突片９により、係合孔３５からの抜け出しが阻止される。
【符号の説明】
【００２２】
１      閉塞具
２      本体
３      ねじ軸
４      ナット部材
５      鍵部材
６      挿入部
７      傘部
８      位置決め突起
９      締め付け突片
１０    逆転止め突片
１１    スリット
１２    特異係合部
１３    対応係合部
１４    座繰り部
１５    軸孔部
１６    円筒部
１７    長規制脚
１８    短規制脚
１９    頭部
２０    ねじ部
２１    回転拘束面
２２    回転拘束面
２３    正回転規制面
２４    逆回転規制面
２５    第１の位置決め面
２６    第２の位置決め面
３１    マンホール蓋
３２    切欠部
３３    マンホール枠体
３４    内周
３５    係合孔
【図１】
2017218724.tif 000003
【図２】
2017218724.tif 000004
【図３】
2017218724.tif 000005
【図４】
2017218724.tif 000006
【図５】
2017218724.tif 000007
【図６】
2017218724.tif 000008
【図７】
2017218724.tif 000009